(57)【要約】  多数の変形例が、オリフィス流れ弁を備える製品を含んでもよく、オリフィス流れ弁はディスクを備え、該ディスクは少なくとも１つのオリフィスを備え、前記オリフィスは、前記少なくとも１つのオリフィスを通過する流体の順方向の流れを誘導し、また、前記少なくとも１つのオリフィスを通過する流体の逆方向の流れを妨げるように構成及び配置される。【代表図】図１
2017505411.tif 000002
【特許請求の範囲】
【請求項１】
オリフィス流れ弁を備える製品であって、
前記オリフィス流れ弁はディスクを備え、前記ディスクは少なくとも１つのオリフィスを備え、前記オリフィスは、前記少なくとも１つのオリフィスを通過する流体の順方向の流れを誘導し、また、前記少なくとも１つのオリフィスを通過する流体の逆方向の流れを妨げるように構成及び配置される製品。
【請求項２】
前記流体の順方向の流れの流量が流体の逆方向の流れの流量よりも大きい、請求項１に記載の製品。
【請求項３】
前記少なくとも１つのオリフィスは、流体の逆方向の流れのための乱流経路及び流体の順方向の流れのための非乱流経路を形成するように構成及び配置される、請求項１に記載の製品。
【請求項４】
さらに、前記ディスクの底面に隣接して位置されている切欠部を備える、請求項１に記載の製品。
【請求項５】
前記切欠部は、前記少なくとも１つのオリフィスを通過する流体の順方向の流れを誘導するように構成及び配置される、請求項４に記載の製品。
【請求項６】
前記少なくとも１つのオリフィスが、第１円筒面、第２円筒面、及びこれらの円筒面の間に延びるリップを備え、前記第１円筒面の第１直径が前記第２円筒面の第２直径よりも小さい、請求項１に記載の製品。
【請求項７】
前記少なくとも１つのオリフィスが円筒面及びテーパ面を備え、テーパ面の直径が前記底面に向かうほど増大する、請求項１に記載の製品。
【請求項８】
前記少なくとも１つのオリフィスが複数の直線状のテーパ面を備える、請求項１に記載の製品。
【請求項９】
前記ディスクの底面がテーパ部を備える、請求項１に記載の製品。
【請求項１０】
前記ディスクが１つの部品である、請求項１に記載の製品。
【請求項１１】
前記ディスクが複数の層を備える、請求項１に記載の製品。
【請求項１２】
前記オリフィス流れ弁が油圧テンショナに取り付けられる、請求項１に記載の製品。
【請求項１３】
前記少なくとも１つのオリフィスが直線状である、請求項１に記載の製品。
【請求項１４】
前記少なくとも１つのオリフィスが傾斜している、請求項１に記載の製品。
【請求項１５】
前記少なくとも１つのオリフィスが湾曲している、請求項１に記載の製品。
【請求項１６】
さらに、第１幾何学的構造を備える少なくとも１つの第１オリフィス及び第２幾何学的構造を備える少なくとも１つの第２オリフィスを備える、請求項１に記載の製品。
【請求項１７】
タイミングチェーンテンショナの油圧流れ弁であって、
オリフィス弁を備え、
前記オリフィス弁は弁基体を備え、
前記弁基体は少なくとも１つのオリフィスを備え、
前記少なくとも１つのオリフィスは、前記少なくとも１つのオリフィスを通過する流体の順方向の流れを誘導するように構成及び配置されており、
前記少なくとも１つのオリフィスは、前記少なくとも１つのオリフィスを通過する流体の逆方向の流れを妨げるように構成及び配置される、
タイミングチェーンテンショナの油圧流れ弁。
【請求項１８】
タイミングチェーンテンショナの油圧流れ弁であって、
オリフィス弁を備え、
前記オリフィス弁は弁基体を備え、
前記弁基体は、該弁基体を貫通して形成されている複数のオリフィスを備え、
前記複数のオリフィスのそれぞれは出口断面積よりも大きい入口断面積を有し、
前記複数のオリフィスのそれぞれは、前記少なくとも１つのオリフィスを通過する流体の順方向の流れを誘導し、
前記複数のオリフィスのそれぞれは、前記少なくとも１つのオリフィスを通過する流体の逆方向の流れを妨げるように構成及び配置される、
タイミングチェーンテンショナの油圧流れ弁。
【請求項１９】
油圧テンショナ内に入る流体の逆方向の流れを防止する方法であって、
少なくとも１つのオリフィスを有する弁基体を提供することを含み、
前記少なくとも１つのオリフィスは、テンショナ貯蔵部からの流体の順方向の流れを油圧テンショナ内に誘導し、また、油圧テンショナからの流体の逆方向の流れが前記テンショナ貯蔵部内に入るのを妨げるように構成及び配置される、方法。
【請求項２０】
タイミングチェーンテンショナの油圧流れ弁を備える製品であって、前記油圧流れ弁は弁基体を備え、前記弁基体は、テンショナ貯蔵部からの流体の順方向の流れを油圧テンショナ内に誘導するための手段及び油圧テンショナからの流体の逆方向の流れが前記テンショナ貯蔵部内に入るのを妨げるための手段を備える、
タイミングチェーンテンショナの油圧流れ弁を備える製品。
【発明の詳細な説明】
【技術分野】
【０００１】
本出願は、２０１４年１月２８日付けで出願された米国仮出願第６１／９３２，５０６号の利益を主張する。
【０００２】
本開示が一般的に関連する分野は油圧テンショナを含む。
【背景技術】
【０００３】
車両は１つ以上の油圧テンショナを含むことができる。
【発明の概要】
【０００４】
一変形例は、オリフィス流れ弁を備える製品を含んでもよく、前記オリフィス流れ弁はディスクを備え、該ディスクは少なくとも１つのオリフィスを備え、前記オリフィスは、前記少なくとも１つのオリフィスを通過する流体の順方向の流れを誘導し、また、前記少なくとも１つのオリフィスを通過する流体の逆方向の流れを妨げるように構成及び配置される。
【０００５】
本発明の範囲内の他の例示的な変形例は、以下に提供される詳細な説明から明らかになるであろう。本発明の範囲内で開示される変形例の詳細な説明と具体的な例示は、単に例示として挙げることを目的としたものであり、本発明の範囲を限定するものではないことを理解すべきである。
【図面の簡単な説明】
【０００６】
本発明の範囲内にある変形例の選択された例は、詳細な説明と添付の図面からより十分に理解されるであろう。
【０００７】
【図１】図１は、多数の変形例によるオリフィス流れ弁を有する油圧テンショナの部分切断図を示す。
【図２】図２は、多数の変形例によるオリフィス流れ弁の斜視図を示す。
【図３】図３は、多数の変形例によるオリフィス流れ弁の断面図を示す。
【図４】図４は、多数の変形例によるオリフィス流れ弁の部分切断図を示す。
【図５】図５は、多数の変形例によるオリフィス流れ弁の断面図を示す。
【図６】図６は、多数の変形例によるオリフィス流れ弁の斜視図を示す。
【図７】図７は、多数の変形例によるオリフィス流れ弁の切断図を示す。
【図８】図８は、多数の変形例によるオリフィス流れ弁の断面図を示す。
【図９】図９は、多数の変形例によるオリフィス流れ弁の概略図を示す。
【図１０】図１０は、多数の変形例によるオリフィス流れ弁の斜視図を示す。
【図１１】図１１は、多数の変形例によるオリフィス流れ弁の切断図を示す。
【図１２】図１２は、多数の変形例によるオリフィス流れ弁の断面図を示す。
【図１３】図１３は、多数の変形例によるオリフィス流れ弁の概略図を示す。
【発明を実施するための形態】
【０００８】
変形例に対する以下の説明は、本質的に単なる例示であり、本発明の範囲、適用または用途を何ら限定するものではない。
【０００９】
図１を参照すると、多数の変形例において、油圧テンショナ２０は、ピストン２２、ピストンスプリング２４、オリフィス流れ弁３０、及び軸２６を含む。多数の変形例において、オリフィス流れ弁３０は油圧テンショナ２０に統合されてもよいが、これによって、ボールまたはディスクチェック弁アセンブリが不要となり得る。前記オリフィス流れ弁３０を用いると、ボールまたはディスクチェック弁アセンブリの場合に生じ得る製造上の問題だけでなく、磨耗及び疲労の問題も解消或いは低減することができる。前記オリフィス流れ弁３０は、従来のボールチェック弁アセンブリよりも小さくすることができるため、追加のパッケージング空間も得ることができる。多数の変形例において、ピストン２２が仲長くてチェーンの緩みを取り、これによって、オイルが貯蔵部２８からテンショナ２０内に入り、順方向の流れを生成することができる。多数の変形例において、順方向の流れはオリフィス流れ弁３０に誘導されてもよい。多数の変形例において、オリフィス流れ弁３０は、少なくとも１つ以上のオリフィスを通過する順方向の流れを誘導するように構成及び配置されてもよい。多数の変形例において、ピストン２２が収縮されてテンショナ２０内の圧力が増大し、これによって、順方向の流れが貯蔵部２８に向かって戻り、逆方向の流れを生成することができる。ある変形例において、オリフィス流れ弁３０は、テンショナの圧力を軽減してチェーンの負荷を減らすのに有利となり得る定格逆方向の流れを生成するように構成及び配置されてもよい。
【００１０】
図２〜５を参照すると、多数の変形例において、オリフィス流れ弁３０は、ディスク本体３２及び１つ以上のオリフィス４２を含んでもよい。ディスク本体３２は、上面３４、底面３６、及びディスク本体３２の周囲に延在され得る壁３８を含んでもよい。多数の変形例において、底面３６は、例えば、図３に示すようにテーパ部４０を含んでもよい。多数の変形例において、１つ以上のオリフィス４２はディスク本体３２のほぼ中央に位置してもよく、上面３４と底面３６を貫通して延びてもよい。
【００１１】
多数の変形例において、オリフィス４２は直線構造のオリフィス４４を含んでもよい。多数の変形例において、該直線構造のオリフィス４４は、例えば、図３〜５に示すように、第１円筒面４６、第２円筒面４８及びこれらの円筒面の間に延びるリップ５０を含んでもよい。多数の変形例において、第１円筒面４６は第２円筒面４８の直径よりも大きい直径を含んでもよい。多数の変形例において、リップ５０は第１円筒面４６と第２円筒面４８との間にテーパ部５２を形成することができる。１つ以上の直線構造のオリフィス４４は円筒状の切欠部５４の上に位置してもよく、該切欠部は、例えば、図３に示すように、湾曲またはラウンディングした縁部５６を含んでもよい。他の変形例において、１つ以上の直線構造のオリフィス４４のそれぞれは、ディスク本体３２の底面３６に隣接している円筒状の切欠部６０内に延びてもよいトンネル５８を含んでもよいが、該トンネルは１つ以上のオリフィス４４を通過する流体の順方向の流れを誘導するように構成及び配置されてもよい。前記円筒状の切欠部６０はディスク本体３２のほぼ中央に位置してもよい。多数の変形例において、直線構造のオリフィス４４の第１円筒面４６は上面３４を越え所定の距離だけ延びてもよく、これによって、突出円形部６２が形成され得る。
【００１２】
図６〜９を参照すると、多数の変形例において、１つ以上のオリフィス４２は漏斗構造のオリフィス６４を含んでもよい。該漏斗構造のオリフィス６４は、円筒面６６及びテーパ面６８を含んでもよい。多数の変形例において、テーパ面６８は底面３６に向かうほど直径が増大し得る。円筒面６６とテーパ面６８は上面３４から下に向かってディスク本体３２を通過するほぼ中間まで延び得る。円筒面６６は上面３４に隣接していてもよい。テーパ面６８は円筒面６６から下方に延びてもよい。テーパ面６８の長さは円筒面６６よりも長くてもよい。多数の変形例において、１つ以上の漏斗構造のオリフィス６４は、例えば、図６及び７に示すように円形であってもよい。多数の変形例において、漏斗構造のオリフィス６４は、例えば、図８に示すように円形切欠部７０上に位置してもよく、該円形切欠部は流体の１つ以上のオリフィス６４を通過する順方向の流れを誘導するように構成及び配置されてもよい。
【００１３】
図１０〜１３を参照すると、多数の変形例において、１つ以上のオリフィス４２のそれぞれは有刺形構造のオリフィス７２を含んでもよい。多数の変形例において、有刺形構造のオリフィス７２は、ディスク本体３２を通り少なくとも中間まで延び得る複数のテーパ面７４を含んでもよい。テーパ面７４のそれぞれは底面３６に向かって、下方に行くほど直径が増大し得る。１つ以上の有刺形構造のオリフィス７２は、上面３４に隣接してディスク本体３２を通り少なくとも中間まで延び得る。多数の変形例において、例えば、図１１及び１２に示すように、前記１つ以上の有刺形構造のオリフィス７２に類似した形状の切欠部７６は、１つ以上の有刺形構造のオリフィス７２の下に位置されてもよく、１つ以上の有刺形構造のオリフィス７２を通過する流体の順方向の流れを誘導するように構成及び配置されてもよい。
【００１４】
多数の変形例において、少なくとも１つのオリフィス４２は、オイルの順方向の流れがほとんどまたは全く妨げられることなく、貯蔵部２８からディスク本体３２の底面３６及び１つ以上のオリフィス４２を通過するテンショナ２０に流れるように構成及び配置されてもよい。少なくとも１つのオリフィス４２はまた、オイルの逆方向の流れが乱流に遭遇するように構成及び配置されてもよいが、該乱流によって流動損失が生じ得る。換言すれば、例えば図９及び１３に示すように、テンショナ２０内への順方向の流れがテンショナの貯蔵部２８内への逆方向の流れよりも大きい流量を有してもよい。
【００１５】
ある変形例において、オリフィス４２の流動経路は１つ以上の角度または傾きを有しても、湾曲しても、または様々な形状のいずれかの形状であってもよく、また、ディスク本体３２の任意の位置に配置され得る。また、オリフィス４２の数は設計要件に応じて変えることができる。各オリフィス４２の寸法も設計要件に応じて変えることができる。
【００１６】
ある変形例において、前記オリフィス流れ弁３０は、プラスチック、硬化された金属スプリング接触面を有するプラスチック、または金属を含む（しかし、これに限定されない）多様な材料からなってもよい。ディスク本体３２は、例えば図３及び１２に示すように１つの部品からなっていてもよく、または例えば図４、５及び１３に示すように複数の層７８からなってもよく、該複数の層は、層を共に結合、スナッピング、または超音波熔接することを含む（しかし、これに限定されない）任意の多数の変形例に取り付けられてもよい。
【００１７】
変形例に対する以下の説明は、本発明の範囲に属するとみなされる部品、要素、作用、製品及び方法の例示にすぎず、具体的に開示されているかまたは明確に記載されていないことによってこれらの範囲は何ら限定されない。ここで記述したような部品、要素、作用、製品及び方法は、ここで明確に記述したものとは異なるように組み合わせ及び再配置されてもよいが、依然として本発明の範囲内に属するものとみなされる。
【００１８】
変形例１は、オリフィス流れ弁を備える製品を含んでもよく、前記オリフィス流れ弁はディスクを備え、該ディスクは少なくとも１つのオリフィスを備え、前記オリフィスは、前記少なくとも１つのオリフィスを通過する流体の順方向の流れを誘導し、また、前記少なくとも１つのオリフィスを通過する流体の逆方向の流れを妨げるように構成及び配置される。
【００１９】
変形例２は、前記流体の順方向の流れの流量が流体の逆方向の流れの流量よりも大きい、変形例１に記載の製品を含んでもよい。
【００２０】
変形例３は、前記少なくとも１つのオリフィスは、流体の逆方向の流れのための乱流経路及び流体の順方向の流れのための非乱流経路を形成するように構成及び配置される、変形例１または変形例２に記載の製品を含んでもよい。
【００２１】
変形例４は、さらに、前記ディスクの底面に隣接して位置されている切欠部を備える、変形例１ないし変形例３のいずれかに記載の製品を含んでもよい。
【００２２】
変形例５は、前記切欠部が前記少なくとも１つのオリフィスを通過する流体の順方向の流れを誘導するように構成及び配置される、変形例１ないし変形例４のいずれかに記載の製品を含んでもよい。
【００２３】
変形例６は、前記少なくとも１つのオリフィスが、第１円筒面、第２円筒面、及びこれらの円筒面の間に延びるリップを備え、前記第１円筒面の第１直径が前記第２円筒面の第２直径よりも小さい、変形例１ないし変形例５のいずれかに記載の製品を含んでもよい。
【００２４】
変形例７は、前記少なくとも１つのオリフィスが円筒面及びテーパ面を備え、テーパ面の直径が前記底面に向かうほど増大する、変形例１ないし変形例６のいずれかに記載の製品を含んでもよい。
【００２５】
変形例８は、前記少なくとも１つのオリフィスが複数の直線状のテーパ面を備える、変形例１ないし変形例７のいずれかに記載の製品を含んでもよい。
【００２６】
変形例９は、前記ディスクの底面がテーパ部を備える、変形例１ないし変形例８のいずれかに記載の製品を含んでもよい。
【００２７】
変形例１０は、前記ディスクが１つの部品である、変形例１ないし変形例９のいずれかに記載の製品を含んでもよい。
【００２８】
変形例１１は、前記ディスクが複数の層を備える、変形例１ないし変形例１０のいずれかに記載の製品を含んでもよい。
【００２９】
変形例１２は、前記オリフィス流れ弁が油圧テンショナに取り付けられる、変形例１ないし変形例１１のいずれかに記載の製品を含んでもよい。
【００３０】
変形例１３は、前記少なくとも１つのオリフィスが直線状である、変形例１ないし変形例１２のいずれかに記載の製品を含んでもよい。
【００３１】
変形例１４は、前記少なくとも１つのオリフィスが傾斜している、変形例１ないし１３のいずれかに記載の製品を含んでもよい。
【００３２】
変形例１５は、前記少なくとも１つのオリフィスが湾曲している、変形例１ないし変形例１４のいずれかに記載の製品を含んでもよい。
【００３３】
変形例１６は、さらに、第１幾何学的構造を備える少なくとも１つの第１オリフィス及び第２幾何学的構造を備える少なくとも１つの第２オリフィスを備える、変形例１ないし変形例１５のいずれかに記載の製品を含んでもよい。
【００３４】
変形例１７は、タイミングチェーンテンショナの油圧流れ弁を含んでもよく、該油圧流れ弁はオリフィス弁を備え、オリフィス弁は弁基体を備え、該弁基体は少なくとも１つのオリフィスを備え、前記少なくとも１つのオリフィスは、前記少なくとも１つのオリフィスを通過する流体の順方向の流れを誘導するように構成及び配置されており、また、前記少なくとも１つのオリフィスは、前記少なくとも１つのオリフィスを通過する流体の逆方向の流れを妨げるように構成及び配置される。
【００３５】
変形例１８は、タイミングチェーンテンショナの油圧流れ弁を含んでもよく、該油圧流れ弁はオリフィス弁を備え、オリフィス弁は弁基体を備え、弁基体は該弁基体を貫通して形成されている複数のオリフィスを備え、前記複数のオリフィスのそれぞれは出口断面積より大きい入口断面積を有し、前記複数のオリフィスのそれぞれは、前記少なくとも１つのオリフィスを通過する流体の順方向の流れを誘導し、また、前記複数のオリフィスのそれぞれは、前記少なくとも１つのオリフィスを通過する流体の逆方向の流れを妨げるように構成及び配置される。
【００３６】
変形例１９は、油圧テンショナ内に入る流体の逆方向の流れを防止する方法を含んでもよく、該方法は少なくとも１つのオリフィスを有する弁基体を提供することを含み、前記少なくとも１つのオリフィスは、テンショナ貯蔵部からの流体の順方向の流れを油圧テンショナ内に誘導し、また、油圧テンショナからの流体の逆方向の流れが前記テンショナ貯蔵部内に入るのをように妨げるように構成及び配置される。
【００３７】
変形例２０は、タイミングチェーンテンショナの油圧流れ弁を備える製品を含んでもよく、前記油圧流れ弁は弁基体を備え、該弁基体は、テンショナ貯蔵部からの流体の順方向の流れを油圧テンショナ内に誘導するための手段及び前記油圧テンショナからの流体の逆方向の流れが前記テンショナ貯蔵部内に入るのを妨げるための手段を備える。
【００３８】
本発明の範囲内にある選択された変形例に対する上記の説明は、本質的に単なる例示であり、従って、それらの変形例または変更例は、本発明の趣旨及び範囲から逸脱するものとみなされてはならない。
【図１】
2017505411.tif 000003
【図２】
2017505411.tif 000004
【図３】
2017505411.tif 000005
【図４】
2017505411.tif 000006
【図５】
2017505411.tif 000007
【図６】
2017505411.tif 000008
【図７】
2017505411.tif 000009
【図８】
2017505411.tif 000010
【図９】
2017505411.tif 000011
【図１０】
2017505411.tif 000012
【図１１】
2017505411.tif 000013
【図１２】
2017505411.tif 000014
【図１３】
2017505411.tif 000015
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
オリフィス流れ弁を備える製品であって、
前記オリフィス流れ弁はディスクを備え、前記ディスクは少なくとも１つのオリフィスを備え、前記オリフィスは、前記少なくとも１つのオリフィスを通過する流体の順方向の流れを誘導し、また、前記少なくとも１つのオリフィスを通過する流体の逆方向の流れを妨げるように構成及び配置される製品。
【請求項２】
前記流体の順方向の流れの流量が流体の逆方向の流れの流量よりも大きい、請求項１に記載の製品。
【請求項３】
前記少なくとも１つのオリフィスは、流体の逆方向の流れのための乱流経路及び流体の順方向の流れのための非乱流経路を形成するように構成及び配置される、請求項１に記載の製品。
【請求項４】
さらに、前記ディスクの底面に隣接して位置されている切欠部を備える、請求項１に記載の製品。
【請求項５】
前記切欠部は、前記少なくとも１つのオリフィスを通過する流体の順方向の流れを誘導するように構成及び配置される、請求項４に記載の製品。
【請求項６】
前記少なくとも１つのオリフィスが、第１円筒面、第２円筒面、及びこれらの円筒面の間に延びるリップを備え、前記第１円筒面の第１直径が前記第２円筒面の第２直径よりも小さい、請求項１に記載の製品。
【請求項７】
前記少なくとも１つのオリフィスが円筒面及びテーパ面を備え、テーパ面の直径が前記底面に向かうほど増大する、請求項１に記載の製品。
【請求項８】
前記少なくとも１つのオリフィスが複数の直線状のテーパ面を備える、請求項１に記載の製品。
【請求項９】
前記ディスクの底面がテーパ部を備える、請求項１に記載の製品。
【請求項１０】
前記オリフィス流れ弁が油圧テンショナに取り付けられる、請求項１に記載の製品。
【請求項１１】
前記少なくとも１つのオリフィスが直線状である、請求項１に記載の製品。
【請求項１２】
前記少なくとも１つのオリフィスが傾斜している、請求項１に記載の製品。
【請求項１３】
前記少なくとも１つのオリフィスが湾曲している、請求項１に記載の製品。
【請求項１４】
さらに、第１幾何学的構造を備える少なくとも１つの第１オリフィス及び第２幾何学的構造を備える少なくとも１つの第２オリフィスを備える、請求項１に記載の製品。
【請求項１５】
油圧テンショナ内に入る流体の逆方向の流れを防止する方法であって、
少なくとも１つのオリフィスを有する弁期体を提供することを含み、
前記少なくとも１つのオリフィスは、テンショナ貯蔵部からの流体の順方向の流れを油圧テンショナ内に誘導し、また、油圧テンショナからの流体の逆方向の流れが前記テンショナ貯蔵部内に入るのを妨げるように構成及び配置される、方法。
【国際調査報告】
2017505411.tif 000016
2017505411.tif 000017